(57)【要約】【課題】低コストで増幅回路を過大入力から適切に保護できる技術を提供する。【解決手段】入力保護回路１０は、リミッタ部１２と、フィルタ部１６とを備える。リミッタ部１２は、入力信号Ｖｉｎの振幅を制限する。フィルタ部１６は、入力信号Ｖｉｎの振幅が所定値以上の場合に、リミッタ部１２の出力信号Ｖｏ１１の高周波成分を減衰させて、高周波成分が減衰した信号を増幅回路２０に出力する。【選択図】図１
2017195439.tif 000002
【特許請求の範囲】
【請求項１】
入力信号の振幅を制限するリミッタ部と、
前記入力信号の振幅が所定値以上の場合に、前記リミッタ部の出力信号の高周波成分を減衰させて、高周波成分が減衰した信号を増幅回路に出力するフィルタ部と、
を備える入力保護回路。
【請求項２】
前記フィルタ部は、前記入力信号の振幅が前記所定値未満の場合に、前記リミッタ部の出力信号を前記増幅回路に出力する、請求項１に記載の入力保護回路。
【請求項３】
前記増幅回路の出力信号は、出力ローパスフィルタを介して負荷に供給され、
前記フィルタ部のカットオフ周波数は、前記出力ローパスフィルタのカットオフ周波数より低い、請求項１または２に記載の入力保護回路。
【請求項４】
前記入力信号の振幅を検出し、前記入力信号の振幅に応じて前記フィルタ部のカットオフ周波数を切り替える検出部を備える、請求項１から３のいずれかに記載の入力保護回路。
【請求項５】
前記検出部は、前記入力信号の振幅が小さいほど前記フィルタ部のカットオフ周波数を高く切り替える、請求項４に記載の入力保護回路。
【請求項６】
前記入力信号の周波数を解析する周波数解析部と、
前記周波数解析部で解析された前記入力信号の周波数に応じて前記フィルタ部のカットオフ周波数を切り替える制御部と、
を備える、請求項１から３のいずれかに記載の入力保護回路。
【請求項７】
前記制御部は、前記入力信号の周波数が高いほど前記フィルタ部のカットオフ周波数を高く切り替える、請求項６に記載の入力保護回路。
【請求項８】
入力信号の振幅を制限する入力保護回路と、
前記入力保護回路の出力信号をパルス幅変調し、パルス幅変調された信号を電力増幅する増幅回路と、
前記増幅回路の出力信号の高周波成分を減衰させる出力ローパスフィルタと、を備え、
前記入力保護回路は、
前記入力信号の振幅を制限するリミッタ部と、
前記入力信号の振幅が所定値以上の場合に、前記リミッタ部の出力信号の高周波成分を減衰させて、高周波成分が減衰した信号を前記増幅回路に出力するフィルタ部と、
を備える増幅装置。
【発明の詳細な説明】
【技術分野】
【０００１】
本発明は、入力保護技術に関し、特に増幅回路を過大入力から保護する入力保護回路および増幅装置に関する。
【背景技術】
【０００２】
入力信号を音声に変換して出力する装置では、入力信号の振幅を制限するリミッタ回路を設け、後段の回路を過大入力から保護している（例えば、特許文献１参照）。
【先行技術文献】
【特許文献】
【０００３】
【特許文献１】特開２０１５−１９３４５号公報
【発明の概要】
【発明が解決しようとする課題】
【０００４】
このようなリミッタ回路をＤ級増幅回路の前段に設けることで、Ｄ級増幅回路を過大入力から保護できると考えられる。しかし、過大入力発生時のリミッタ回路の出力信号は矩形波になるため、矩形波がＤ級増幅回路に悪影響を及ぼす恐れがある。
【０００５】
また、リミッタ回路に替えて自動利得制御（ＡＧＣ：Automatic Gain Control）回路を用いて入力信号の振幅を調整することで、矩形波による悪影響を無くしてＤ級増幅回路を過大入力から保護できると考えられる。しかし、高速な処理が可能なＦＰＧＡ（Field Programmable Gate Array）やＤＳＰ（Digital Signal Processor）が必要なため、コストが増加する。
【０００６】
本発明はこうした状況に鑑みてなされたものであり、その目的は、低コストで増幅回路を過大入力から適切に保護できる入力保護回路および増幅装置を提供することにある。
【課題を解決するための手段】
【０００７】
上記課題を解決するために、本発明のある態様の入力保護回路は、入力信号の振幅を制限するリミッタ部と、入力信号の振幅が所定値以上の場合に、リミッタ部の出力信号の高周波成分を減衰させて、高周波成分が減衰した信号を増幅回路に出力するフィルタ部と、を備える。
【０００８】
本発明の別の態様は、増幅装置である。この装置は、入力信号の振幅を制限する入力保護回路と、入力保護回路の出力信号をパルス幅変調し、パルス幅変調された信号を電力増幅する増幅回路と、増幅回路の出力信号の高周波成分を減衰させる出力ローパスフィルタと、を備える。入力保護回路は、入力信号の振幅を制限するリミッタ部と、入力信号の振幅が所定値以上の場合に、リミッタ部の出力信号の高周波成分を減衰させて、高周波成分が減衰した信号を増幅回路に出力するフィルタ部と、を備える。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、低コストで増幅回路を過大入力から適切に保護できる。
【図面の簡単な説明】
【００１１】
【図１】第１の実施形態に係る増幅装置の構成を示すブロック図である。
【図２】図２（ａ）は、比較例の増幅装置の過大入力発生時の出力信号を示す波形図であり、図２（ｂ）は、図１の増幅装置の過大入力発生時の出力信号を示す波形図である。
【図３】図３（ａ）は、図２（ａ）の出力信号の周波数スペクトルを示す図であり、図３（ｂ）は、図２（ｂ）の出力信号の周波数スペクトルを示す図である。
【図４】第２の実施形態に係る増幅装置の構成を示すブロック図である。
【図５】第３の実施形態に係る増幅装置の構成を示すブロック図である。
【発明を実施するための形態】
【００１２】
（第１の実施形態）
図１は、第１の実施形態に係る増幅装置１の構成を示すブロック図である。増幅装置１は、入力保護回路１０と、Ｄ級増幅回路２０と、出力ローパスフィルタ３０と、を備える。
【００１３】
入力保護回路１０は、音声信号等である入力信号Ｖｉｎの振幅を所定のリミット値以下に制限して、出力信号Ｖｏ１をＤ級増幅回路２０に出力する。これにより、入力保護回路１０はＤ級増幅回路２０を過大入力から保護する。入力保護回路１０の詳細については後述する。
【００１４】
Ｄ級増幅回路２０は、入力保護回路１０の出力信号Ｖｏ１をパルス幅変調し、パルス幅変調された信号を電力増幅し、出力信号Ｖｏ２を出力ローパスフィルタ３０に出力する。
【００１５】
出力ローパスフィルタ３０は、Ｄ級増幅回路２０の出力信号Ｖｏ２の高周波成分を減衰させて、出力信号Ｖｏｕｔを負荷であるスピーカ４０に出力する。スピーカ４０は出力信号Ｖｏｕｔを音声に変換する。出力ローパスフィルタ３０のカットオフ周波数ｆ１は、Ｄ級増幅回路２０におけるパルス幅変調の周波数に応じて設定される。例えば、パルス幅変調の周波数が４００ｋＨｚである場合、カットオフ周波数ｆ１は３０ｋＨｚであってもよい。これにより出力ローパスフィルタ３０は、概ね２０ｋＨｚ以下の周波数成分を通過させ、パルス幅変調の周波数の成分等を減衰させる。これにより、入力保護回路１０の出力信号Ｖｏ１とほぼ等しい波形の出力信号Ｖｏｕｔが得られる。
【００１６】
出力ローパスフィルタ３０は、ＬＣフィルタであり、インダクタＬ１と、キャパシタＣ１とを有する。インダクタＬ１は、Ｄ級増幅回路２０の出力信号Ｖｏ２が供給される一端と、出力信号Ｖｏｕｔを出力する他端とを含む。キャパシタＣ１は、インダクタＬ１の他端に接続された一端と、接地された他端とを含む。
【００１７】
入力保護回路１０は、リミッタ部１２と、検出部１４と、フィルタ部１６とを有する。入力保護回路１０は、アナログ回路により構成される。
【００１８】
リミッタ部１２は、入力信号Ｖｉｎの振幅をリミット値以下に制限して、出力信号Ｖｏ１１をフィルタ部１６に出力する。即ち、リミッタ部１２は、入力信号Ｖｉｎの振幅がリミット値より大きい場合、入力信号Ｖｉｎの波形の最大値と最小値をクリップする。リミッタ部１２は、入力信号Ｖｉｎの振幅がリミット値未満である場合、入力信号Ｖｉｎをそのまま出力する。リミッタ部１２のリミット値は、Ｄ級増幅回路２０の許容される最大入力レベル以下に設定される。
【００１９】
検出部１４は、入力信号Ｖｉｎに基づいて入力信号Ｖｉｎの振幅が所定値以上であるか否か検出し、検出結果に応じてフィルタ部１６を制御する。所定値は、例えばリミッタ部１２のリミット値である。
【００２０】
フィルタ部１６は、検出部１４の制御に応じて、入力信号Ｖｉｎの振幅が所定値以上の場合に、リミッタ部１２の出力信号Ｖｏ１１の低周波成分を通過させ、出力信号Ｖｏ１１の高周波成分を減衰させて、高周波成分が減衰した出力信号Ｖｏ１をＤ級増幅回路２０に出力する。フィルタ部１６は、検出部１４の制御に応じて、入力信号Ｖｉｎの振幅が所定値未満の場合に、リミッタ部１２の出力信号Ｖｏ１１を出力信号Ｖｏ１としてＤ級増幅回路２０に出力する。
【００２１】
フィルタ部１６は、ローパスフィルタ１６２と、切替部１６４とを有する。ローパスフィルタ１６２は、リミッタ部１２の出力信号Ｖｏ１１の低周波成分を通過させ、出力信号Ｖｏ１１の高周波成分を減衰させ、出力信号Ｖｏ１２を切替部１６４に出力する。フィルタ部１６のカットオフ周波数ｆ２、即ちローパスフィルタ１６２のカットオフ周波数ｆ２は、出力ローパスフィルタ３０のカットオフ周波数ｆ１より低く、例えば５００Ｈｚ〜１ｋＨｚの範囲内に設定される。男性の音声の周波数は約３３０〜５５０Ｈｚであり、女性の音声の周波数は約４００〜７００Ｈｚである。そのため、ローパスフィルタ１６２は、出力信号Ｖｏ１１の高周波成分を減衰させた上で、人間の音声の周波数成分は可能な限り減衰を小さくすることができる。
【００２２】
切替部１６４は、検出部１４の制御に応じて切り替えられ、入力信号Ｖｉｎの振幅が所定値未満の場合に出力信号Ｖｏ１１を出力信号Ｖｏ１として出力し、入力信号Ｖｉｎの振幅が所定値以上の場合に出力信号Ｖｏ１２を出力信号Ｖｏ１として出力する。即ち切替部１６４は、出力信号Ｖｏ１１をローパスフィルタ１６２に通過させるか否か切り替える。切替部１６４は、リレーなどの低損失のスイッチ素子で構成できる。
【００２３】
次に、増幅装置１の全体的な動作を説明する。過大入力が発生しておらず、入力信号Ｖｉｎの振幅が所定値未満である場合、フィルタ部１６は、リミッタ部１２の出力信号Ｖｏ１１をＤ級増幅回路２０に出力する。ここで、過大入力が発生し、入力信号Ｖｉｎの振幅が所定値以上になった場合、リミッタ部１２の出力信号Ｖｏ１１の振幅は制限され、フィルタ部１６は、リミッタ部１２の出力信号Ｖｏ１１の高周波成分を減衰させて出力信号Ｖｏ１をＤ級増幅回路２０に出力する。出力信号Ｖｏ１の振幅は制限されているので、Ｄ級増幅回路２０を過大入力から保護できる。その後、過大入力が無くなった場合、フィルタ部１６は、再度、リミッタ部１２の出力信号Ｖｏ１１をＤ級増幅回路２０に出力する。
【００２４】
図２（ａ）は、比較例の増幅装置の過大入力発生時の出力信号Ｖｏｕｔ’を示す波形図であり、図２（ｂ）は、図１の増幅装置１の過大入力発生時の出力信号Ｖｏｕｔを示す波形図である。図２（ａ）と（ｂ）において、入力信号Ｖｉｎの振幅はそれぞれ等しく、所定値以上である。出力信号Ｖｏｕｔ’は、出力信号Ｖｏｕｔに対応する。
【００２５】
比較例の増幅装置では、図１の検出部１４とフィルタ部１６は設けられておらず、リミッタ部１２の出力信号Ｖｏ１１はＤ級増幅回路２０に直接供給されるところが図１と異なる。そのため、図２（ａ）に示すように、比較例の増幅装置の出力信号Ｖｏｕｔ’は、リミッタ部１２の出力信号Ｖｏ１１とほぼ等しく、ほぼ矩形波である。
【００２６】
これに対して図１の増幅装置１の出力信号Ｖｏｕｔは、ローパスフィルタ１６２の出力信号Ｖｏ１２とほぼ等しく、図２（ａ）の出力信号Ｖｏｕｔ’と比較して立ち上がり及び立ち下がりが緩やかになっている。
【００２７】
図３（ａ）は、図２（ａ）の出力信号Ｖｏｕｔ’の周波数スペクトルを示す図であり、図３（ｂ）は、図２（ｂ）の出力信号Ｖｏｕｔの周波数スペクトルを示す図である。
【００２８】
比較例の図３（ａ）では、出力信号Ｖｏｕｔ’が矩形波であることにより、出力ローパスフィルタ３０のカットオフ周波数ｆ１である３０ｋＨｚ付近の高周波成分が図３（ｂ）より大きい。ここで、Ｄ級増幅回路２０の出力インピーダンスとスピーカ４０のインピーダンスの組み合わせによっては、出力ローパスフィルタ３０は、カットオフ周波数ｆ１において共振による利得を有する場合がある。そのため比較例では、出力ローパスフィルタ３０が共振による利得を有する場合、３０ｋＨｚ付近の高周波成分が増幅され、Ｄ級増幅回路２０に大電流が流れてＤ級増幅回路２０が故障する可能性がある。即ち、Ｄ級増幅回路２０を過大入力から保護することはできても、矩形波がＤ級増幅回路に悪影響を及ぼす可能性がある。
【００２９】
一方、本実施形態の図３（ｂ）では、図３（ａ）と比較して高周波成分が減衰しており、出力ローパスフィルタ３０のカットオフ周波数ｆ１である３０ｋＨｚ付近では数十ｄＢ減衰している。よって、図１の増幅装置１では、出力ローパスフィルタ３０が共振による利得を有する場合であっても、Ｄ級増幅回路２０に大電流が流れることを抑制できる。
【００３０】
このように本実施形態によれば、入力信号Ｖｉｎの振幅が所定値以上の場合に、リミッタ部１２の出力信号Ｖｏ１１の高周波成分を減衰させているので、カットオフ周波数ｆ１の高周波成分によってＤ級増幅回路２０に大電流が流れることを抑制できる。よって、大電流によるＤ級増幅回路２０の故障を抑制することができる。
また、入力信号Ｖｉｎの振幅が所定値未満の場合に、リミッタ部１２の出力信号Ｖｏ１１の高周波成分を減衰させないので、本来の音声に忠実な音声を出力できる。
【００３１】
また、入力保護回路１０は、ＦＰＧＡやＤＳＰを用いることなく簡単なアナログ回路で構成できるので、ＦＰＧＡ等が必要な自動利得制御回路を用いる場合と比較して低コストで実現できる。従って、低コストでＤ級増幅回路２０を過大入力から適切に保護できる。
【００３２】
また、過大入力発生時にも、Ｄ級増幅回路２０の動作を停止させないので、音声を出力することができる。従って、使用者の利便性を向上できる。
【００３３】
（第２の実施形態）
第２の実施形態では、入力信号Ｖｉｎの振幅に応じてフィルタ部のカットオフ周波数ｆ２を切り替えるところが、第１の実施形態と異なる。以下では、第１の実施形態との相違点を中心に説明する。
【００３４】
図４は、第２の実施形態に係る増幅装置１Ａの構成を示すブロック図である。増幅装置１Ａでは、入力保護回路１０Ａ、検出部１４Ａおよびフィルタ部１６Ａが図１と異なる。
【００３５】
検出部１４Ａは、入力信号Ｖｉｎの振幅を検出し、入力信号Ｖｉｎの振幅が所定値以上の場合に、入力信号Ｖｉｎの振幅に応じてフィルタ部１６Ａのカットオフ周波数ｆ２を切り替える。具体的には検出部１４Ａは、入力信号Ｖｉｎの振幅が所定値以上の場合に、入力信号Ｖｉｎの振幅が小さいほど、フィルタ部１６Ａのカットオフ周波数ｆ２を高く切り替える。
【００３６】
フィルタ部１６Ａは、ローパスフィルタ１６６をさらに有する。複数のローパスフィルタ１６２，１６６のカットオフ周波数は、それぞれ異なる。ローパスフィルタ１６６は、リミッタ部１２の出力信号Ｖｏ１１の低周波成分を通過させ、出力信号Ｖｏ１１の高周波成分を減衰させ、出力信号Ｖｏ１３を切替部１６４Ａに出力する。ローパスフィルタ１６２，１６６の数は、２以上であれば特に限定されない。
【００３７】
切替部１６４Ａは、検出部１４Ａの制御に応じて、入力信号Ｖｉｎの振幅が所定値以上の場合に、入力信号Ｖｉｎの振幅に応じて複数のローパスフィルタ１６２，１６６の出力信号Ｖｏ１２，Ｖｏ１３の何れかを出力信号Ｖｏ１としてＤ級増幅回路２０に出力する。切替部１６４Ａは、検出部１４Ａの制御に応じて、入力信号Ｖｉｎの振幅が所定値未満の場合に、出力信号Ｖｏ１１を出力信号Ｖｏ１としてＤ級増幅回路２０に出力する。
【００３８】
入力信号Ｖｉｎの振幅が所定値以上の場合であっても、入力信号Ｖｉｎの振幅が小さいほど、リミッタ部１２の出力信号Ｖｏ１１に含まれる出力ローパスフィルタ３０のカットオフ周波数ｆ１の成分は小さくなる。そのため、入力信号Ｖｉｎの振幅が小さいほど、カットオフ周波数ｆ１の成分の抑制量は小さくてもＤ級増幅回路２０に大電流が流れることを抑制できる。従って、入力信号Ｖｉｎの振幅が小さいほど、フィルタ部１６Ａのカットオフ周波数ｆ２は高くてよい。
【００３９】
本実施形態では、入力信号Ｖｉｎの振幅が小さいほどフィルタ部１６Ａのカットオフ周波数ｆ２を高く切り替えるので、入力信号Ｖｉｎの振幅が小さい場合には、音声の周波数成分の減衰を抑制できる。従って、入力信号Ｖｉｎの振幅が小さい場合には、より本来の音声に忠実な音声を出力できる。また、第１の実施形態の効果も得られる。
【００４０】
（第３の実施形態）
第３の実施形態では、入力信号Ｖｉｎの周波数に応じてフィルタ部のカットオフ周波数ｆ２を切り替えるところが、第１の実施形態と異なる。以下では、第１の実施形態との相違点を中心に説明する。
【００４１】
図５は、第３の実施形態に係る増幅装置１Ｂの構成を示すブロック図である。増幅装置１Ｂでは、入力保護回路１０Ｂが図１と異なる。入力保護回路１０Ｂは、周波数解析部１８と、制御部１９とをさらに有する。フィルタ部１６Ａの構成は、図４と同一である。
【００４２】
周波数解析部１８は、入力信号Ｖｉｎの周波数を解析する。制御部１９は、周波数解析部１８で解析された入力信号Ｖｉｎの周波数と、検出部１４の検出結果とに応じて、フィルタ部１６Ａを制御する。制御部１９は、入力信号Ｖｉｎの振幅が所定値以上の場合に、入力信号Ｖｉｎの周波数に応じてフィルタ部１６Ａのカットオフ周波数ｆ２を切り替える。制御部１９は、入力信号Ｖｉｎの周波数が高いほどフィルタ部１６Ａのカットオフ周波数ｆ２を高く切り替える。
【００４３】
切替部１６４Ａは、制御部１９の制御に応じて、入力信号Ｖｉｎの振幅が所定値以上の場合に、入力信号Ｖｉｎの周波数に応じて複数のローパスフィルタ１６２，１６６の出力信号Ｖｏ１２，Ｖｏ１３の何れかを出力信号Ｖｏ１としてＤ級増幅回路２０に出力する。切替部１６４Ａは、制御部１９の制御に応じて、入力信号Ｖｉｎの振幅が所定値未満の場合に、出力信号Ｖｏ１１を出力信号Ｖｏ１としてＤ級増幅回路２０に出力する。
【００４４】
例えば、数十Ｈｚ以下の周波数の低音が含まれ、それ以上の周波数の高音が含まれない入力信号Ｖｉｎの場合、フィルタ部１６Ａのカットオフ周波数ｆ２を１００Ｈｚ程度に設定しても、本来の音声に比較的忠実な音声を出力できる。この場合、リミッタ部１２の出力信号Ｖｏ１１に含まれる出力ローパスフィルタ３０のカットオフ周波数ｆ１の高周波成分を、第１の実施形態よりも抑制できる。従って、Ｄ級増幅回路２０に大電流がより流れ難くなる。
【００４５】
本実施形態によれば、入力信号Ｖｉｎの周波数に応じてカットオフ周波数ｆ２を切り替えるので、リミッタ部１２の出力信号Ｖｏ１１に含まれるカットオフ周波数ｆ１の高周波成分をより適切に抑制しつつ、本来の音声に比較的忠実な音声を出力できる。また、第１の実施形態の効果も得られる。
【００４６】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００４７】
例えば第１の実施形態では、フィルタ部１６はローパスフィルタ１６２と切替部１６４を有する一例について説明したが、これに限らない。フィルタ部１６は、カットオフ周波数ｆ２を切り替え可能なローパスフィルタから構成されてもよい。具体的には、フィルタ部１６は、入力信号Ｖｉｎの振幅が所定値未満の場合に、カットオフ周波数ｆ２を３０ｋＨｚより高く設定し、入力信号Ｖｉｎの振幅が所定値以上の場合に、カットオフ周波数ｆ２を５００Ｈｚ〜１ｋＨｚの範囲内に設定してもよい。このようなフィルタ部１６はアクティブフィルタにより構成でき、カットオフ周波数ｆ２の切り替えはトランジスタなどで行うことができる。従って、リレーなどの低損失の切替部１６４が不要になるので、より低コスト化できる。
【００４８】
第２および第３の実施形態においても、フィルタ部１６Ａはカットオフ周波数ｆ２を切り替え可能なローパスフィルタから構成され、切替部１６４Ａを設けなくてもよい。第２の実施形態では、フィルタ部１６Ａは、入力信号Ｖｉｎの振幅が所定値未満の場合に、カットオフ周波数ｆ２を３０ｋＨｚより高く設定し、入力信号Ｖｉｎの振幅が所定値以上の場合に、入力信号Ｖｉｎの振幅に応じてカットオフ周波数ｆ２を切り替えればよい。第３の実施形態では、フィルタ部１６Ａは、入力信号Ｖｉｎの振幅が所定値未満の場合に、カットオフ周波数ｆ２を３０ｋＨｚより高く設定し、入力信号Ｖｉｎの振幅が所定値以上の場合に、入力信号Ｖｉｎの周波数に応じてカットオフ周波数ｆ２を切り替えればよい。これにより、切替部１６４Ａが不要になるので、より低コスト化できる。
【００４９】
また、第１から第３の実施形態では、検出部１４，１４Ａは入力信号Ｖｉｎに基づいて入力信号Ｖｉｎの振幅が所定値以上であるか否か検出する一例について説明したが、これに限らない。例えば、検出部１４，１４Ａは、リミッタ部１２の出力信号Ｖｏ１１に基づいて入力信号Ｖｉｎの振幅が所定値以上であるか否か検出してもよい。これにより、設計の自由度を高めることができる。
【００５０】
また、第１から第３の実施形態では、入力保護回路１０，１０Ａ，１０Ｂはアナログ回路で構成される一例について説明したが、コストの増加を許容できる場合には、ＡＤ変換器と、ＦＰＧＡやＤＳＰなどのデジタル回路と、ＤＡ変換器とを用いて構成することもできる。
【符号の説明】
【００５１】
１，１Ａ，１Ｂ…増幅装置、１０，１０Ａ，１０Ｂ…入力保護回路、１２…リミッタ部、１４，１４Ａ…検出部、１６，１６Ａ…フィルタ部、１８…周波数解析部、１９…制御部、２０…Ｄ級増幅回路、３０…出力ローパスフィルタ、１６２，１６６…ローパスフィルタ、１６４，１６４Ａ…切替部。
【図１】
2017195439.tif 000003
【図２】
2017195439.tif 000004
【図３】
2017195439.tif 000005
【図４】
2017195439.tif 000006
【図５】
2017195439.tif 000007